(57)【要約】【課題】発光装置を表示装置として用いる場合に、発光素子が配置される面において、発光装置の下方からの視野角を確保しつつ、表示観測方向へ反射する光を抑制し、コントラストを十分に向上させることができる。【解決手段】表示装置に用いられる発光装置であって、前面に凹部を有するパッケージと、前記凹部に収容された発光素子とを備え、前記凹部は、前記パッケージ前面の一方側に偏在し、該パッケージ前面の他方側は、前記凹部が偏在するパッケージ前面に対して前記パッケージの背面側に傾斜し、前記パッケージの前面の一方側が、前記表示装置の上側に位置するように配置されて用いられる発光装置。【選択図】図１
2018056491.tif 000002
【特許請求の範囲】
【請求項１】
表示装置に用いられる発光装置であって、
前面に凹部を有するパッケージと、
前記凹部に収容された発光素子とを備え、
前記凹部は、前記パッケージ前面の一方側に偏在し、該パッケージ前面の他方側は、前記凹部が偏在するパッケージ前面に対して前記パッケージの背面側に傾斜し、
前記パッケージの前面の一方側が、前記表示装置の上側に位置するように配置されて用いられる発光装置。
【請求項２】
前記凹部を複数備える請求項１に記載の発光装置。
【請求項３】
前記複数の凹部は、前記前面の一方側に沿って配置されている請求項２に記載の発光装置。
【請求項４】
前記複数の凹部に収容される発光素子は、発光波長の異なる発光素子を含む請求項２または３に記載の発光装置。
【請求項５】
前記凹部は、該凹部内に載置される発光素子の発光波長と同系色の着色材が含有される封止部材を備える請求項１〜４のいずれか１つに記載の発光装置。
【請求項６】
前記一方側に対する前記他方側の傾斜角度は１０〜４５度である請求項１〜５のいずれか１項に記載の発光装置。
【請求項７】
前面に凹部を有するパッケージと、
前記凹部に収容された発光素子とを備え、
前記凹部は、前記パッケージ前面の一方側に偏在し、該パッケージ前面の他方側は、前記凹部が偏在するパッケージ前面に対して前記パッケージの背面側に傾斜している発光装置。
【請求項８】
基材上に、請求項１〜７のいずれか１項に記載の発光装置が、マトリクス状に複数配列された表示装置。
【発明の詳細な説明】
【技術分野】
【０００１】
本発明は、発光装置及び表示装置に関する。
【背景技術】
【０００２】
従来から、複数の発光装置がマトリクス状に配列されて、種々の画像又は文字を表示する表示装置が用いられている。このような表示装置では、発光装置の発光面（つまり発光素子が配置された面）に入射する外来光が視認者の方向に反射し、表示装置のコントラストが低下する、非発光の発光面が点灯しているように誤認するなどが知られている。
このコントラストの低下を抑制する手段として、種々の開発がなされており、例えば、発光素子の上下に庇を配置した発光装置等が提案されている（特許文献１及び２等参照）。
【先行技術文献】
【特許文献】
【０００３】
【特許文献１】特開平１１−３０５６８９号公報
【特許文献２】特開２００１−５６６４７号公報
【発明の開示】
【発明が解決しようとする課題】
【０００４】
しかし、従来の発光装置では、発光装置の下方からの視野角を確保しつつ、太陽光などの外来光の影響を十分に抑制して、良好なコントラストを得るには至っていないのが現状である。
本発明は、上記課題に鑑みなされたものであり、より高コントラストな表示装置に適した発光装置を得ることを目的とする。
【課題を解決するための手段】
【０００５】
本発明の一実施形態は、
前面に凹部を有するパッケージと、前記凹部に収容された発光素子とを備え、
前記凹部は、前記パッケージ前面の一方側に偏在し、該パッケージ前面の他方側は、前記凹部が偏在するパッケージ前面に対して前記パッケージの背面側に傾斜し、
前記パッケージの前面の一方側が、前記表示装置の上側に位置するように配置されて用いられる発光装置。
本発明の他の実施形態は、前面に凹部を有するパッケージと、
前記凹部に収容された発光素子とを備え、
前記凹部は、前記パッケージ前面の一方側に偏在し、該パッケージ前面の他方側は、前記凹部が偏在するパッケージ前面に対して前記パッケージの背面側に傾斜している発光装置。
本発明のさらに他の実施形態は、基材上に、上述した発光装置が、マトリクス状に複数配列された表示装置。
【発明の効果】
【０００６】
本発明の発光装置によれば、発光装置を表示装置として用いる場合に、発光素子が配置される面において、発光装置の下方からの視野角を確保しつつ、視認者の方向へ反射する光を抑制し、コントラストを十分に向上させることができる。
【図面の簡単な説明】
【０００７】
【図１】本発明の一実施形態の発光装置の（ａ）正面図、（ｂ）1ｘ−1ｘ’概略断面図及び（ｃ）１ｙ−１ｙ’概略断面図である。
【図２】本発明の別の実施形態の発光装置の（ａ）正面図、（ｂ）２ｘ−２ｘ’概略断面図、（ｃ）２ｙ−２ｙ’概略断面図及び（ｄ）２ｙ−２ｙ’概略断面図の傾斜部を示す拡大図である。
【図３Ａ】図１の発光装置を用いた表示装置の概略側面透視図である。
【図３Ｂ】図２の発光装置を用いた表示装置の概略側面透視図である。
【図４】図１の発光装置を用いた別の表示装置の（ａ）概略正面図、（ｂ）概略側面図及び（ｃ）概略斜視図である。
【発明を実施するための最良の形態】
【０００８】
以下、発明の実施の形態について適宜図面を参照して説明する。但し、以下に説明する形態は、本発明の技術思想を具体化するためのものであって、特定的な記載がない限り、本発明を以下のものに限定しない。また、図面が示す部材の大きさや位置関係等は、説明を明確にするため、誇張していることがある。
【０００９】
実施形態１：発光装置
この実施形態の発光装置１０は、例えば表示装置に用いられるものであり、図１に示したように、前面１１ａに凹部１２を有するパッケージ１１と、凹部１２に収容された発光素子１３とを備える。凹部１２は、パッケージ１１の前面１１aの一方側に偏在し、該パッケージ１１の前面１１ａの他方側は、凹部１２が偏在するパッケージ１１の前面１１aに対してパッケージ１１の背面１１ｂ側に傾斜している。つまり、パッケージ１１の前面１１ａの一方側は凹部１２を備え、パッケージ１１の前面１１ａの他方側は、凹部１２を備える一方側の前面１１ａに対して、パッケージ１１の背面側に傾斜する傾斜部１１ａａを備える。そして、パッケージ１１の前面１１aの一方側が、表示装置の上側に位置するように配置されて用いられる。
本願では、パッケージ１１において発光素子１３を収容するための凹部１２を備える面を前面１１ａ、前面１１aの反対側の面を背面１１ｂ、前面１１ａに隣接する面であって、凹部１２が偏在する側の面を上面１１ｃ、上面１１ｃの反対側の面を下面１１ｄと称する。従って、本願の発光装置１０を表示装置として配置する場合には、パッケージ１１の上面１１ｃを上方、下面１１ｄを下方として配置することが好ましい。
発光装置１０は、凹部１２内であって、発光素子１３を封止する封止部材１４をさらに備えることが好ましい。
【００１０】
（パッケージ１１）
パッケージ１１は、前面１１ａに凹部１２を備える。凹部１２は、１つであってもよいが、複数であってもよい。例えば、フルカラーの表示装置とするために、発光装置１０は赤色系、緑色系、青色系の発光波長を有する３種類の発光素子をそれぞれ収納するために、３つ又は３の倍数の数の凹部を有することが好ましい。凹部１２は、パッケージ１１の前面１１ａにおいて、一方側、つまり上面１１ｃ側に偏在している。
凹部の形状は、収容される発光素子の形状や光学特性等を考慮して適宜設定することができる。例えば、発光観測面である前面１１ａ側から見た平面形状が、トラック形状、円、楕円、正方形、長方形、多角形等及びこれらの変形（例えば、角を丸めた又は切欠した形状）が挙げられる。なかでも、細長い形状であることが好ましく、パッケージ１１の上面１１ｃから下面１１ｄの方向に細長い形状とすることで、上下方向の指向特性を広げることができるため好ましい。凹部が複数配置されている場合には、その形状は同じであってもよいし、異なっていてもよい。
凹部の深さは、例えば、０．４〜１．４ｍｍが挙げられる。凹部が複数配置されている場合には、その凹部の深さはそれぞれ同じでもよいし、異なっていてもよい。
【００１１】
凹部が複数配置されている場合、複数の凹部はパッケージの上面１１ｃと接する前面１１ａの縁に沿って一列に並んで配置していることが好ましい。例えば、複数の凹部が上面１１ｃに対して垂直な方向に一列に並んで配置された発光装置を表示装置に用いると、表示装置を下方から見上げた際に、庇に最も近い側（つまり上面１１ｃに近い側）に位置する凹部の発光面は庇に遮られて外光を反射しないが、庇から最も遠い側（つまり下面１１ｄに近い側）に位置する凹部の発光面のみが庇に遮られずに外来光を反射させてしまうことがある。しかし、複数の凹部を上面１１ｃと接する前面１１ａの縁に平行な方向に並べて配置することで、複数の凹部が受ける外光の影響が各凹部間で同等となるため、１つの発光装置において特定の凹部の発光面のみがあたかも光っているように見える現象を回避できる。
【００１２】
凹部の偏在とは、凹部が、パッケージの前面を上面側と下面側とに二等分した際に、パッケージの上面側に偏って配置していることを意味する。偏在の程度は、例えば、凹部の中心（又は重心）が、パッケージの前面を上面側と下面側とに二等分する二等分線から、パッケージの上面から下面の長さの１／１０〜１／４程度パッケージの上面側寄りに位置する程度が挙げられる。
例えば、凹部１２が３つ以上配置している場合は、図１に示すように、パッケージ１１の一方向、例えば、上面１１ｃに平行な方向（以下、ｘ方向ということがある）に一列に配置されていることが好ましく、等間隔で配置されていることがより好ましい。また、凹部１２が複数配置している場合は、上面１１ｃ側への偏在の程度は、同程度であることが好ましい。
【００１３】
凹部１２は、底面と、底面からパッケージ１１の前面１１ａに連続する内壁面とを有する。凹部１２の底面には発光素子が載置され、発光素子の電極と接続される配線の一部が露出されている。内壁面は底面に対して傾斜しているものが好ましい。傾斜は、パッケージの離型性や配光等の調整のため、底面から前面１１ａに向かって広がる形状が好ましい。内壁面は、その全面において傾斜の程度が同じでもよいが、部分的に異なっていてもよい。例えば、発光装置１０を表示装置として用いる場合には、上面に近い側の内壁面の傾斜角度が下面に近い側の内壁面の傾斜角度よりも、凹部の底面に対して大きいことが好ましい。これにより、下方側へ向かう光が強くなり、表示装置を下方側から見上げた際の視認性が向上する。
【００１４】
パッケージは、発光素子からの光、外光などが透過しにくい部材によって形成されていることが好ましい。特にパッケージの外表面は外光（多くの場合、太陽光）に対して光反射率の低い部材を用いることが好ましく、黒色又は濃い色であることが好ましい。また、機械的強度の高いものが好ましく、より具体的には、フェノール樹脂、ＢＴレジン、ＰＰＡ、セラミックなどが挙げられる。パッケージは、射出成形法等の公知の方法で製造することができる。
ただし、内側壁は、後述するパッケージの構成材料にかかわらず、発光素子からの光を反射する材料によって形成されていてもよい。つまり、内側壁に、パッケージの前面１１ａを構成する材料よりも発光素子の光に対して反射率が高い別の部材を用いてもよい。この場合、内側壁は、例えば、樹脂中に、酸化チタン、酸化亜鉛、酸化マグネシウム、炭酸マグネシウム、水酸化マグネシウム、炭酸カルシウム、水酸化カルシウム、珪酸カルシウム、珪酸マグネシウム、チタン酸バリウム、硫酸バリウム、水酸化アルミニウム、酸化アルミニウム、酸化ジルコニウムの１種又は２種以上の白色顔料及び／又は充填材を含有するもので形成されていることが好ましい。
【００１５】
パッケージ１１の形状は、例えば、発光観測面である前面１１ａから見た平面形状が、円、楕円、正方形、長方形、多角形等及びこれらの変形（例えば、角を丸めた又は切欠した形状）が挙げられる。なかでも、略矩形状であることが好ましい。パッケージの前面は、外光を散乱させてコントラストを向上させるために、微細な凹凸等を有していてもよい。このような微細な凹凸によって、パッケージの表面全体の艶を抑え、外来光が反射することにより生ずるコントラストの低下を抑制することができる。このような微細な凹凸は、艶消し又は多孔質化等の加工等、例えば、パッケージの表面に対するサンドブラスト加工、微少なフィラー（例えば、酸化珪素等）粒子を含有する塗料を塗布すること、多孔性のセラミックス等を利用すること等により得ることができる。このような微細な凹凸は、例えば、Ｒａが１〜５０μｍの範囲が挙げられる。
【００１６】
パッケージ１１は、上述したように、凹部がパッケージ前面１１ａの一方側に偏在しているために、他方側に凹部を有しない領域をより広く有する。また、この領域のうち、下面１１ｄに近い側の少なくとも一部は、凹部１２が偏在するパッケージ１１の前面１１ａに対して、パッケージ１１の背面１１ｂ側に傾斜している。つまり、パッケージ１１は前面１１aの上面１１ｃ側に凹部１２を、下面１１ｄ側に傾斜部１１ａａを備える。なお、傾斜部１１ａａは、凹部１２から離間して、上面１１ｃ側にも配置されていてもよい。
前面１１ａにおける傾斜部１１ａａの占める割合は、例えば、パッケージの前面１１aの下面側から、パッケージの上面から下面の長さの１／５〜１／２程度が挙げられる。
傾斜部１１ａａは、凹部１２側から下面１１ｄにかけて、一定の角度で、背面１１ｂ側に徐々に傾斜していることが好ましい。また、パッケージ前面１１ａは凹部が偏在する一方側と傾斜部を有する他方側とが異なる平面で構成されていてもよいし、一方側及び／又は他方側が曲面を含んでいてもよい。なお、この場合の両者の境界は明確でなくてもよい。
前面１１ａの凹部１２が偏在する一方側に対する他方側の背面１１ｂ側への傾斜角度α（図１（ｂ）参照）は、例えば、１０〜４５度が挙げられる。傾斜部１１ａａの下面側は、背面１１ｂと接していてもよいが、背面から離間していること、つまり、若干肉厚であることが好ましい。パッケージの下面側の強度を確保するためである。
パッケージ１１の前面１１ａが他方側（本実施形態における下方側）にこのような傾斜を有することにより、発光装置に入射する外光の反射光を視認者に向けないようにすることができる。また、後述するように、発光装置を表示装置に用いた際に、パッケージの上面側に庇が配置されるため、この傾斜部の傾斜角度を、庇に反射光が当たるような角度とすることで、視認者にその反射光が認識されなくなり、下方から見上げた際の表示装置のコントラストが向上する。
【００１７】
パッケージは、凹部内にその一部を露出し、他の一部をパッケージの外側に露出する少なくとも一対の配線部材を有する。配線部材は、当該分野で通常用いられる材料及び形状のものを利用することができる。例えば、銅、鉄等の板状体に、銀、金等でめっきされたリード端子、めっき法等で形成された金属膜等が利用できる。一対の配線部材が、発光素子の数に応じて複数設けられる場合には、発光素子の発光を個別に調節し、所望の色を表示する発光装置とすることができる。
【００１８】
（発光素子１３）
発光素子１３は、凹部１２に収容されている。１つの凹部には１つの発光素子１３が収容されていることが好ましいが、１つの凹部に複数の発光素子が収容されていてもよい。また、１つのパッケージ１１が複数の凹部を有する場合には、発光素子１３は凹部の数と同じ数又はそれ以上の数、収容されていることが好ましい。
例えば１つの凹部に１つの発光素子が収容され、１つのパッケージに凹部が複数配置されている場合には、各凹部に配置される発光素子は、その発光波長がそれぞれ又は一部異なるものが好ましい。特に１つの発光装置１０が赤色系、緑色系、青色系の発光波長を有する3種類の発光素子を備えることで、フルカラーの発光装置とすることができる。
【００１９】
発光素子１３は、上述した凹部１２の底面に露出した配線部材の上に、接着部材を介して載置されている。発光素子１３の正負一対の電極は、一対の配線部材にワイヤを介して電気的に接続されていてもよいし、一対のリード上に、フリップチップ実装されていてもよい。なお、１つの凹部に配置される発光素子の数にかかわらず、発光素子１３は凹部内において、凹部の中心に又は中線に沿って規則的に配置されていてもよいし、上面１１ｃ側又は下面１１ｄ側に偏在していてもよいし、ランダムに配置していてもよい。このような配置は、凹部ごとに異なっていてもよいが、各凹部で同じであることが好ましい。特に、下方からの視野角を考慮して、各凹部が同様に上面１１ｃ側に偏在していることが好ましい。
【００２０】
発光素子としては、例えば、発光ダイオード等の半導体発光素子を用いることができる。発光素子には、紫外領域から赤外領域までの間の任意の領域に発光波長がある発光素子を、適宜選択して用いることができる。発光素子は、透光性基板と、その上に形成された半導体積層体とを含むことができる。透光性基板には、例えば、サファイア（Ａｌ2Ｏ3）のような透光性の絶縁性材料、半導体積層体からの発光を透過する半導体材料（例えば、窒化物系半導体材料）等を用いることができる。半導体積層体は、例えば、ｎ型半導体層、発光層（活性層）及びｐ型半導体層等の複数の半導体層を含む。半導体層としては、例えば、ＩＩＩ−Ｖ族化合物半導体、ＩＩ−ＶＩ族化合物半導体等の半導体材料が挙げられる。具体的には、ＩｎXＡｌYＧａ1-X-YＮ（０≦Ｘ、０≦Ｙ、Ｘ＋Ｙ≦１）等の窒化物系の半導体材料を用いることができる。発光素子は、同一面側に一対の電極を有する形態でもよいし、異なる面側に一対の電極を備える形態でもよい。一対の電極は、電気良導体を用いることが好ましく、例えば、Ａｕ、Ｃｕ等の金属が挙げられる。
フルカラー表示を行うためには、赤色系の発光波長が６１０ｎｍから７００ｎｍ、緑色が４９５ｎｍから５６５ｎｍ、青色の発光波長が４３０ｎｍから４９０ｎｍの発光素子を組み合わせることが好ましい。
【００２１】
（封止部材１４）
パッケージ１１の凹部１２内には、凹部１２内に載置される発光素子１３を封止する封止部材を有することが好ましい。
封止部材は、例えば、透光性の樹脂によって形成することができる。ここでの透光性とは、発光素子から出射される光を６０％以上、好ましくは７０％以上透過させることを意味する。透光性の樹脂としては、シリコーン樹脂、エポキシ樹脂、フェノール樹脂、ポリカーボネート樹脂、アクリル樹脂又はこれらの変性樹脂もしくはハイブリッド樹脂、ガラス等が挙げられる。これらは、１種を単独で又は２種以上を組み合わせて用いることができる。
封止部材は、着色材、蛍光体、光拡散材及び／又はフィラー等を含有していてもよい。封止部材が着色材を含有する場合、凹部内に載置される発光素子の発光波長と同系色の着色材を含有するものが好ましい。ここで同系色とは、コンピュータ表示の赤（FF0000)を起点として計算により求めた色相環（１２色）の互いに隣り合う色を意味する。
パッケージ１１が複数の凹部を備え、それぞれに異なる発光波長の発光素子が配置されている場合、複数の凹部は、凹部内に載置される発光素子の発光波長と同系色の着色材が含有される封止部材を備えることが好ましい。例えば、赤色の発光波長の発光素子が収納された凹部を封止する封止部材に添加される着色剤は赤色であり、緑色の発光波長の発光素子を封止する封止部材に添加される着色剤は緑色であり、青色の発光波長の発光素子を封止する封止部材に添加される着色剤は青色である。
封止部材が、凹部内に載置される発光素子の発光波長と同系色の着色材を含有する場合には、さらに発光装置を表示装置に用いた際の表示装置のコントラストを高めることができる。
【００２２】
封止部材に含有される蛍光体は、用いる発光素子の出射光の波長、得ようとする光の色などを考慮して選択することができる。具体的には、セリウムで賦活されたイットリウム・アルミニウム・ガーネット（ＹＡＧ）、セリウムで賦活されたルテチウム・アルミニウム・ガーネット（ＬＡＧ）、ユウロピウム及び／又はクロムで賦活された窒素含有アルミノ珪酸カルシウム（ＣＡＳＮ）などが挙げられる。蛍光体は、複数の種類の蛍光体を組み合わせて用いてもよい。例えば、発光色の異なる蛍光体を所望の色調に適した組み合わせや配合比で用いて、演色性や色再現性を調整することもできる。
例えばパッケージ１１が複数の凹部を備える場合、例えば複数の凹部それぞれに紫外発光の発光素子を配置し、ある凹部には青色発光の蛍光体が含有される封止部材を、また別の凹部には緑色発光の蛍光体が含有される封止部材を、更に他の凹部には赤色発光の蛍光体が含有される封止部材を配置することで、フルカラーの発光装置とすることができる。また、複数の凹部それぞれに青色の発光波長の発光素子を用い、ある凹部には蛍光体を含有しない封止部材を、また別の凹部には緑色発光の蛍光体が含有される封止部材を、更に他の凹部には赤色発光の蛍光体を含有する封止部材を備えてもよい。
【００２３】
なお、本発明の発光装置には、その他の部材を備えていてもよい。例えば、発光素子を静電気、過電圧等から保護するため、ツェナーダイオード、コンデンサ等の静電保護素子が備えられていてもよい。
【００２４】
図１においては、パッケージ１１は、上面１１ｃに平行な方向に、同じ形状及び大きさの凹部１２を３つ有し、その３つの凹部１２に、赤色系、緑色系、青色系の発光波長を有する発光素子１３が、それぞれ１つずつ収納されている。パッケージ１１の前面（つまり、発光装置の発光面）１１ａ側からみた外形は３×３ｍｍの略四角形であり、凹部１２の開口部形状は、略トラック形状である。凹部１２の開口部形状は、例えば、長軸長が１．６ｍｍ、短軸長が６００μｍであり、その深さは１．４ｍｍであり、それらの間隔は３００μｍである。また、凹部１２の上面１１ｃ側の端部は、パッケージ１１の外縁から３００μｍ離間しており、凹部１２の下面１１ｄ側の端部は、パッケージ１１の外縁から１．１ｍｍ離間している。パッケージ１１の前面１１ａには、下面１１ｄ側の１ｍｍ幅の領域に、背面１１ｂに近づく傾斜部１１ａａを有する。傾斜部１１ａａの傾斜角αは、３０度である。
【００２５】
実施形態２：発光装置
この実施形態の発光装置２０は、発光装置１０と同様に、表示装置に用いられるものであり、例えば、図２に示したように、前面２１ａに凹部２２を有するパッケージ２１と、凹部２２に収容された発光素子１３とを備える。
【００２６】
（パッケージ２１）
パッケージ２１は、前面に凹部２２を備える。凹部２２は、パッケージ２１の前面２１ａの一方側、つまり、上面２１ｃに近い側に偏在している。パッケージ２１の前面２１ａの他方側、つまり、下面に近い側は、凹部２２が偏在するパッケージ２１の前面２１ａに対して、パッケージ２１の背面側に傾斜する傾斜部２１ａａを備える。
【００２７】
図２に示すように、パッケージ２１の前面２１ａは、凹部２２から下面２１ｄ側にかけて複数の傾斜部２１ａａを有する。具体的には、パッケージ２１の前面２１ａは、凹部２２から下面２１ｄ側にかけて、傾斜面が下面２１ｄ側に向いた傾斜部２１ａａと傾斜面が上面２１ｃ側に向いた傾斜部とが交互に、断面視ジグザグ形状となるよう配置されている。傾斜面が下面２１ｄ側に向いた傾斜部２１ａａと傾斜面が上面側に向いた傾斜部とは、いずれも一定の角度で前面２１ａに対して背面２１ｄ側に傾斜しており、同じピッチで繰り返し配置されていることが好ましい。ここでの傾斜角度は、例えば、１０〜６０度が挙げられる。ピッチは、例えば、１０〜１００μｍが挙げられる。この断面視ジグザグ状となる傾斜部の配置以外は、実質的に図１で説明したのと同様のパッケージである。
パッケージ２１においても、前面２１ａの下方側にこのような傾斜部を有することにより、発光装置に入射する外光の反射光を視認者に向けないようにすることができる。このため、発光装置２０を用いた表示装置を下方から見上げた際のコントラストが向上する。
【００２８】
図２においては、パッケージ２１が備える複数の傾斜部２１ａａは、例えば、ピッチＰは３０μｍ、傾斜面が下面側に向いた傾斜部２１ａａの傾斜角度βは３０度、傾斜面が上面側に向いた傾斜部の傾斜角度γは３０度である。
このような構成以外は、実質的に発光装置１０の構成と同様である。
【００２９】
実施形態３：表示装置
この実施形態の表示装置３０Ａ、３０Ｂは、図３Ａ及び３Ｂに示すように、上述した発光装置１０、２０を、基材１５上に配置することにより構成される。ここでは、１つ発光装置１０、２０を示しているが、発光装置１０、２０は、基材１５上に、複数配置されていることが好ましく、行列状に複数配置されていることがより好ましい。
発光装置１０、２０は、表示装置の上方側に、パッケージ１１の前面１１ａ、２１ａの凹部１２、２２が偏在する側が、下方側に前面１１ａ、２１ａの傾斜部１１ａａ、２１ａａ側が位置するように配置されている。
【００３０】
ここでの基材１５は、発光装置を固定等する役割を果たすとともに、太陽光などの外来光が直接、発光素子に照射されるのを抑制する役割を果たす。そのために、例えば、発光装置の上端側及び／又は下端側に、庇１５ａを備えることが好ましい。庇１５ａは、例えば、１つの発光装置ごとに上方及び／又は下方に１つずつ配置されていてもよいし、複数の発光装置ごとに上方及び／又は下方に１つずつ配置されていてもよい。また、１つの表示装置に対して、上方及び／又は下方に１つずつ配置されていてもよい。なお、庇１５ａが上下方向に複数配置される場合、少なくとも上方に存在すればよく、下方にも存在する場合には、下側に隣接する上方の庇と兼用してもよい。
庇１５ａは、外来光等の、表示装置の斜め上方からの光を有効に遮断する機能を果たす限り、その形状及び大きさ等を適宜設定することができる。例えば、庇１５ａの高さは、表示装置の大きさ、配置場所、配置角度、発光装置の実装ピッチ等によって適宜設定することができ、例えば、発光装置の上面から２〜５ｍｍ程度離間していることが好ましい。庇１５ａの角度は、例えば、基材１５の表面に対して９０度が好ましいが、３０度程度、上方向又は下方向に傾斜していてもよい。また、発光装置が行列状に配置され、上下方向において発光装置を挟んで庇１５ａが配置される場合、その上下方向の位置によって、庇の傾斜角度が異なっていてもよい。例えば、下方に向かうにつれて、傾斜角度がより大きく又はより小さく設定することができる。これによって、視認者の目線に向かう反射光をより抑制することができる。
庇１５ａは、発光装置のパッケージが複数の凹部を含む場合、複数の凹部に沿って、つまり、パッケージの上面又は下面に対して平行に配置されることが好ましい。
【００３１】
表示装置では、基材１５上に配列される発光装置によって構成される１単位の画素は、１つの発光素子、つまり単色の発光素子によって構成されていてもよいが、カラー表示の場合、赤色系（Ｒ）、青色系（Ｂ）、緑色系（Ｇ）の３つ以上の発光素子によって構成されることが好ましい。発光素子の数は、発光装置において必要とされる素子の明るさに応じて、適宜調整することができる。例えば、赤色の光を発する発光素子を１つ、緑色の光を発する発光素子を１つ、青色の光を発する発光素子を１つ、それぞれ配列させた発光装置を用いることにより、１つの発光装置で一画素を構成することができる。あるいは、赤色の光を発する発光素子を１つ、緑色の光を発する発光素子を２つ、青色の光を発する発光素子を１つ、それぞれ１つの発光装置又は２以上の発光装置で配列させることにより一画素を構成してもよい。
画素内における各発光素子の配置パターンは表示品質を考慮して、適宜選択することができる。そのために、発光装置においては、パッケージの上面に平行な方向に３つの凹部を有し、それぞれＲＧＢに対応する発光素子を配置することが好ましい。
複数の発光装置をマトリクス状に配置する場合、隣接する発光装置との距離はできる限り小さいことが好ましい。
【００３２】
基材１５は、通常、プラスチック（ポリカーボネート樹脂、ＡＢＳ樹脂、エポキシ樹脂、フェノール樹脂等）、ガラス、セラミックス、金属（アルミニウム、銅の単体及びこれら金属中にＭｇ、Ｓｉ、Ｆｅ、Ｃｕ、Ｍｎ、Ｃｒ、Ｚｎ、Ｎｉ、Ｔｉ、Ｐｂ、Ｓｎ等の金属を含有させた合金等）等、あるいは、これら材料を組み合わせた材料により形成することができるが、なかでもプラスチック、特に、ガラス繊維入りポリカーボネートは、耐候性及び機械的強度を比較的容易に向上させることができるため、好ましい。また、着色剤を含有させることにより基材自体を黒色等の暗色に着色することが比較的簡単にできる。
【００３３】
このように、本実施形態における表示装置は、下方からの視野角を確保しながら、水平方向〜斜め上方向から入射する外来光について、表示観測方向に反射することを抑制することができ、コントラストを飛躍的に向上させることができる。
つまり、パッケージの発光面に外光が当たった際に、視認者が、反射で眩しく感じること、実際は点灯していないものが点灯しているかのように誤認することを抑制することができる。また、複数の凹部を１つの発光装置に設けることにより、発光装置の前面の表面積を低減させることができるため、凹部周縁の前面で反射される外光の影響をより抑制することができる。一方、凹部を発光装置の前面において特定の方向に偏在させることにより、外光の照射によって疑似的に点灯しているように見えることを効果的に防止することができる。特に、パッケージの他端側、つまり下方側において前面に傾斜部を配置することにより、効果的に、外光の反射光を視認者に向けないようにすることができる。特に、表示装置が庇を有する場合には、パッケージの下方側に傾斜部を配置することにより、庇に外光の反射光を当てることができ、外光の反射光を阻止することが可能となる。さらに、表示装置を組み立てる場合、凹部が一方に偏在することにより、上下方向の配置が容易となり、製造工程の簡略化を図ることが可能となる。
【００３４】
実施形態４：表示装置
この表示装置４０は、図４Ａ〜４Ｃに示すように、基材２５上に、複数の発光装置１０がマトリクス状に配置されている。例えば表示装置４０は、基材２５上に１６行×１６列の発光装置１００が配置されたユニットを複数組み合わせて構成することができる。このようなユニットが、さらにマトリクス状に複数配置されることにより、大画面の表示装置４０とすることができる。
表示装置４０における発光装置１０間の間隔は、例えば、３ｍｍ（６ｍｍピッチ）であり、発光装置１０のＸ方向、つまり水平方向に配列された行間の中央よりもＹ方向、つまり垂直方向において下方側に近接して、庇２５ａが配置されている。庇２５ａは、発光装置１０の上面から３ｍｍ程度離間して配置されている。
このような発光装置１０が配列された表示装置４０によれば、上述した効果と同様の効果を得ることができる。
【産業上の利用可能性】
【００３５】
本発明は、表示装置に有効な、特に、屋外においてもコントラストの高い高精細なカラーディスプレイとして利用することができる。
【符号の説明】
【００３６】
１０、２０      ：発光装置
１１、２１      ：パッケージ
１１ａ、２１ａ    ：前面
１１ａａ、２１ａａ  ：傾斜部
１１ｂ、２１ｂ    ：背面
１１ｃ、２１ｃ    ：上面
１１ｄ、２１ｄ    ：下面
１２、２２      ：凹部
１３      ：発光素子
１４      ：封止部材
１５、２５      ：基材
１５ａ、２５ａ    ：庇
３０Ａ、３０Ｂ、４０  表示装置
α、β、γ        ：傾斜角
【図１】
2018056491.tif 000003
【図２】
2018056491.tif 000004
【図３Ａ】
2018056491.tif 000005
【図３Ｂ】
2018056491.tif 000006
【図４】
2018056491.tif 000007